(57)【要約】      （修正有）【課題】車両に装備される灰皿や小物入れを構成する部品のうちの主要部品の共用化をはかると共に、それぞれの機能や高級感を発揮するための機構を装脱着可能とし、要望により灰皿又は小物入れの機構を組付ける装置を提供すること。【解決手段】アウターケース１は、灰皿の装備における灰皿インナーケース２の取出し方向付勢機構Ｂと、蓋体３の開放動方向操作に伴なう横軸４０を中心とする作動片部４０ｂの円弧動を介して、灰皿インナーケース２の係止突起２ｃに解離する係離片部４０ｃを備えた前記付勢力のロック係離機構Ｃと、灰皿インナーケース２のラック２ｄに噛合う小歯車５０ａを有するロータリーダンパ５０を備えた前記付勢力の制動機構Ｄ及び、前記小物入れの装備における前記小物入れインナーケース２１の係離機構Ｅのそれぞれを、装脱着可能に組付ける手段を備えている。【選択図】図３
2006056306.tif 000002
【特許請求の範囲】
【請求項１】
上面開口部を有するアウターケースと、この上面開口部からアウターケース内に嵌挿されたインナーケースである灰皿インナーケース又は小物入れケースと、前記アウターケースに軸支され、前記インナーケースの上面開口部を開閉する蓋体からなる車両用灰皿又は小物入れにおいて、
前記アウターケースは、
前記灰皿の装備における前記灰皿インナーケースの取出し方向付勢機構と、この付勢動のロック係離機構と、この付勢動の制動機構及び、
前記小物入れの装備における前記小物入れインナーケースの係離機構のそれぞれを、
装脱着可能に組付ける手段を備えていることを特徴とする車両用灰皿又は小物入れの組付け装置。
【請求項２】
前記請求項１に記載のロック係離機構は、
両端のそれぞれがアウターケースに軸承された横軸を備え、
前記横軸は、前記アウターケースに軸支された蓋体の開放動方向操作により、この横軸を中心に円弧動される作動片部と、
前記アウターケースに嵌挿された灰皿インナーケースの係止突起に係合すると共に、前記作動片部の円弧動により解離動する係離片部を備えており、
しかもこのロック係離機構は、前記横軸の両端のそれぞれが回転可能に嵌挿された支承孔と、この嵌挿時において、前記横軸の両端のそれぞれを、弾性変形を伴ないつつ前記支承孔に案内することとなる案内傾斜面を備えた一対の支承片により、装脱着可能に組付けられていることを特徴とする車両用灰皿又は小物入れの組付け装置。
【請求項３】
前記請求項１に記載の制動機構は、灰皿インナーケースのラックに噛合う小歯車を備えたロータリダンパが、アウターケースに配設されているもので、
しかもこの制動機構は、前記アウターケースの面板部に沿って設けられた係止片との間の差込み溝に、この係止片の弾性変形を伴ないつつ前記ロータリーダンパを押込み嵌合することにより装脱可能に組付けられていることを特徴とする車両用灰皿又は小物入れの組付け装置。
【発明の詳細な説明】
【技術分野】
【０００１】
本発明は車体の適所に装備される灰皿又は小物入れの組付装置に関するものである。
【背景技術】
【０００２】
車両用の灰皿装置としては、車体の適所に形成された設置部に固定されるアウターケースと、このアウターケースに着脱自在に嵌挿される灰皿となるインナーケースと、アウターケースに軸支されてインナーケースの上部開口部を開閉緩作動する蓋体からなると共に、インナーケースをアウターケースから外す方向に押圧する付勢手段と、この付勢力によるアウターケースの飛出しをロック係離する手段と、飛出し動の緩制動手段を備えているものがある（例えば、特許文献１参照）。
【０００３】
【特許文献１】特開２００２−１２０７６号公報
【発明の開示】
【発明が解決しようとする課題】
【０００４】
車体のインストルメントパネルやコンソールパネルに装備される灰皿は、上記特許文献のごとく、蓋体を軽く押すことによりゆっくりと自動的に開蓋する機能や、吸殻処理時に灰皿部が自動的に浮き上る機能など、高級感や便宜性を考慮したこれら機能を備えていることが好まれる。
しかし近時喫煙しない人の増加に伴ない灰皿が不要とされ、これに替えて小物入れを装備する傾向にあるが、この小物入れにあっても収納物の損傷防止や高級感から、収納箱内面が植毛塗装（静電植毛）される。
そして、これらそれぞれの機能を備えた構成の灰皿又は小物入れのどちらかを車両使用者の要望により組付け装備しているもので、作業性も悪く、コスト高にも影響する。
【０００５】
本発明は、灰皿や小物入れを構成する部品のうちの主要部品の共用化をはかると共に、それぞれの機能や高級感を発揮するための機構を装脱着可能とし、要望により灰皿又は小物入れの機構を組付ける装置を提供するもので、これにより部品点数の削減によるコストの軽減及び、灰皿と小物入れとの取替え装備の簡易化による作業能率の向上をはかるものである。
【課題を解決するための手段】
【０００６】
上記課題を解決する車両用灰皿又は小物入れの組付け装置は、上面開口部を有するアウターケースと、この上面開口部からアウターケース内に嵌挿されたインナーケースである灰皿インナーケース又は小物入れケースと、前記アウターケースに軸支され、前記インナーケースの上面開口部を開閉する蓋体からなるものであって、前記アウターケースは、前記灰皿の装備における灰皿インナーケースの取出し方向付勢機構と、この付勢動のロック係離機構と、この付勢動の制動機構及び、前記小物入れの装備における小物入れインナーケースの係離機構のそれぞれを、装脱着可能に組付ける手段を備えていることを特徴とするものである。
【０００７】
そして更に前記ロック係離機構は、両端のそれぞれがアウターケースに軸承された横軸を備え、この横軸は、前記アウターケースに軸支された蓋体の開放動方向操作により、この横軸を中心に円弧動される作動片部と、前記アウターケースに嵌挿された灰皿インナーケースの係止突起に係合すると共に、作動片部の円弧動により解離動する係離片部を備えており、しかもこのロック係離機構は、前記横軸の両端のそれぞれが回転可能に嵌挿された支承孔と、この嵌挿時において、横軸の両端のそれぞれを、弾性変形を伴ないつつ支承孔に案内することとなる案内傾斜面を備えた一対の支承片により、装脱着可能に組付けられていることを特徴とし、前記制動機構は、灰皿インナーケースのラックに噛合う小歯車を備えたロータリダンパが、アウターケースに配設されており、しかもこの制動機構は、前記アウターケースの面板部に沿って設けられた係止片との間の差込み溝に、この係止片の弾性変形を伴ないつつ前記ロータリーダンパを押込み嵌合することにより装脱可能に組付けられていることを特徴とするものである。
【発明の効果】
【０００８】
本発明に係る車両用灰皿又は小物入れの組付け装置は、車両使用者の要望により灰皿又は小物入れのどちらかを装備するにあたって、車体の適所に固定されるアウターケースと、このアウターケースに嵌挿される灰皿インナーケース又は小物入れインナーケースとによる手段を採り、しかもこのアウターケースは、灰皿装備において吸殻の処理などの機能に要する灰皿インナーケースの取出し方向付勢機構と、この付勢動のロック係離機構と、飛出し制動機構及び、小物入れ装備における小物入れインナーケースの係離機構のそれぞれを、装脱可能に組付ける手段を備えているもので、灰皿又は小物入れを構成する部品のうちの大型部品となるアウターケースを共用できると共に、灰皿又は小物入れとしての機構を部品化して、これをアウターケースに装脱着可能に組付けることができるので簡易に組替え可能となるから、コスト軽減、作業能率の向上に益する。
【実施例】
【０００９】
図は本発明に係る車両用灰皿又は小物入れの組付け装置の一実施例を示すもので、以下各図に基づき説明する。
【００１０】
この実施例における灰皿又は小物入れは、車体の適所に形成された設置部Ａに装着固定されるアウターケース１と、このアウターケース１に着脱可能に嵌挿される灰皿又は小物入れとなるインナーケース２（以下灰皿インナーケース２又は小物入れインナーケース２１と称す）と、アウターケース１に軸支され、これを支点とする円弧動によりインナーケース２の上面開口部２ａを開閉する蓋体３とで概略構成されている。
【００１１】
前記アウターケース１は、底板部１ａと周囲の前面板部１ｂと背面板部１ｃ及び両側面板部１ｄ，１ｄにより上面開口部１ｅを有する箱状であって、この上面開口部１ｅを覆うこととなる蓋体３を備えている。
【００１２】
蓋体３は、アウターケース１の上面開口部１ｅ程の略方形状の平板部３ａを有し、この平板部３ａの四辺のうちの対向する二辺の各端部位には、長い長側片部３ｂと、短い短側片部３ｃのそれぞれが、縁部より下方向に略直角に折曲された態様で形成されており、長側片部３ｂと短側片部３ｃのそれぞれは、アウターケース１の各側面板部１ｄ，１ｄにおける背面板部１ｃ方向の上面開口部１ｅ寄り部位に外向き水平に突設された、支持軸１１，１１のそれぞれに回動可能に軸支されており、長側片部３ｂを軸支した支持軸１１には、この蓋体３を開動方向に付勢する巻スプリング５が配設されている。
【００１３】
更にこの蓋体３の長側片部３ｂの先端部位には、アウターケース１の底板部１ａ付近に配設された、いわゆるプッシュオン、プッシュオフ機能を備えた係離部材６により係合解離される係合杆３１が突設されていると共に、この係合杆３１位置と軸支部位との間には、ロータリダンパ７が配設されている。
【００１４】
この係離部材６は、アウターケース１に配設されたケース体内に一対の挟持片６ａ，６ａが内装されており、蓋体３が支持軸１１を支点として円弧動され、この蓋体３によりアウターケース１の上面開口部１ｅが覆われる状態（後記する閉塞状態）において、この蓋体３の閉塞作動に伴ない長側片部３ｂに突設された係合杆３１が、前記両挟持片６ａ，６ａ間に挟入して挟持係止されて、抜脱が阻止されるもので、これにより前記覆われた状態（閉塞状態）が維持される。
そして再びこの係合杆３１の挟入方向への再作動、すなわち蓋体３の閉塞方向への僅かな押操作により挟持係止状態が解離され、これにより係合杆３１がケース体から抜脱可能状態となり、蓋体３が巻スプリング５の付勢により支持軸１１を支点として開放方向に円弧動される。
【００１５】
前記ロータリダンパ７は、入力される回転力に対して制動作用を発揮する機能を有するもので、ケース内の抵抗部材により制動回転される小歯車７ａを備えており、この小歯車７ａは、アウターケース１の側面板部１ｃの外側に形成された、長側片部３ｂの支持軸１１を中心とする円弧状ラック１２に噛合されている。
これにより支持軸１１を支点とする蓋体３の手押動による閉動及び巻スプリング５による付勢開動が制動され緩やかに開閉動される。
【００１６】
更にこの蓋体３は、前記のごとくその開閉動における巻スプリング５と閉塞状態の維持などにおける係離部材６と、開閉動制動におけるロータリダンパ７が一方側に配装され、しかもこの係離部材６に係合杆３１が出没することによる係離機能の有効ストロークを得るために、蓋体３を軸支する側片部の一方を長く形成しており（長側片部３ｂ）、これがために開閉動の繰返しにより長側片部３ｂにその負荷が集中して、蓋体３がゆがみ変形する懸念があることから、短側片部３ｃの内側先端から、平板部３ａとその裏板３ｄとの間を経て長側片部３ｂの内側先端に至り、全体形状が略門形の金属製補強板４が密着裏打ちされたような態様で配設されている。
【００１７】
そしてアウターケース１は、車両使用者などの要望により灰皿を装備するための、灰皿インナーケース２の取出し方向付勢機構Ｂと、この付勢動をロック、アンロックするロック係離機構Ｃと、この付勢動による灰皿インナーケース２の取出方向への急移動（飛出し動）を制動する制動機構Ｄのそれぞれを装脱着可能に組付ける手段を備えている。
【００１８】
前記取出方向付勢機構Ｂは、アウターケース１の上面開口部１ｅから嵌挿された灰皿インナーケース２を、この上面開口部１ｅ方向、すなわち取出し方向に付勢する板バネ８がアウターケース１の底板部１ａに配設されているもので、アウターケース１の底板部１ａの略中央部位には、装着用の孔１３が設けられており、この孔１３に挿通した取外し可能なリベットや、樹脂クリップ９により板バネ８を組付けている。
【００１９】
前記ロック係離機構Ｃは、横軸４０と、この横軸４０の両端部位に形成された係合軸部４０ａ，４０ａと、この横軸４０に沿って上向きに立設された作動片部４０ｂと、横軸４０の両端部位から下向きに形成された鉤形状の係離片部４０ｃから構成され、アウターケース１における背面板部１ｃの外側に組付けられる。
【００２０】
アウターケース１における背面板部１ｃの外側には、ロック係離機構Ｃにおける横軸４０に形成された係合軸部４０ａ，４０ａのそれぞれを軸承する、一対の支承片１４，１４が間隔をもって水平方向に平行して突設されており、この支承片１４，１４のそれぞれには、係合軸部４０ａ，４０ａが回転可能に嵌挿される支承孔１４ａ，１４ａが設けられていると共に、両支承片１４，１４の対向面側のそれぞれには、この支承孔１４ａ，１４ａ部位から先端にかけて漸次肉薄となる案内傾斜面１４ｂ，１４ｂが形成されている。
【００２１】
そしてロック係離機構Ｃにおける横軸４０の一方端部位に巻スプリング４１を嵌装してから、係離片部４０ｃ，４０ｃの鉤形に折曲された先端部位を、アウターケース１の背面板部１ｃに開設された窓孔１ｇからアウターケース１内に位置させた状態で、横軸４０の各係合軸部４０ａ，４０ａの先端を支承片１４，１４の案内傾斜面１４ｂ，１４ｂに当接させてアウターケース１の背面板部１ｃ方向に押込む。
これにより、各支承片１４，１４が弾性変形により横軸４０の係合軸部４０ａ，４０ａで外側にたわみ、次いで各係合軸部４０ａ，４０ａが支承孔１４ａ，１４ａに嵌まることにより各支承片１４，１４が復元して横軸４０が各支承片１４，１４により軸承され、巻スプリング４１により作動片部４０ｂが横軸４０を支点としてアウターケース１から離れる方向で、係離片部４０ｃがアウターケース１内方向に付勢された状態で（図３において反時計回り方向）、このロック係離機構Ｃがアウターケース１に組付けられる。
【００２２】
前記制動機構Ｄは、前記蓋体３の開閉動制動手段におけるロータリダンパ７と同様のロータリダンパ５０が採用され、アウターケース１における背面板部１ｃの内側中央部位に組付けられる。
【００２３】
アウターケース１における背面板部１ｃの内側中央部位には、上端部位に係止突起１５ａを有する一対の係止片１５，１５が、背面板部１ｃに沿って上向きに並設されていると共に、この係止片１５と背面板部１ｃとの間に上向きの差込み溝１６が形成されており、ロータリダンパ５０の小歯車５０ａをアウターケース１の内側に向けた状態で、このロータリダンパ５０の主体の両側に突設された側片部５０ｂ，５０ｂのそれぞれを、係止片１５と背面板部１ｃとの間の差込み溝１６に上方から押込む。
これにより各係止片１５，１５の係止突起１５ａ，１５ａがロータリダンパ５０の側片部５０ｂ，５０ｂで押しのけられて係止片１５，１５が弾性変形によりたわみ、次いで係止突起１５ａ，１５ａを通過すると係止片１５，１５が復元して側片部５０ｂ，５０ｂが差込み溝１６に嵌合され、これにより制動機構Ｄがアウターケース１に組付けられる。
【００２４】
そして灰皿を装備するための前記各機構Ｂ，Ｃ，Ｄをアウターケース１に組付けてから、底板部１ａに穿設された取付け孔１ｆを介してねじＰにより車体の設置部Ａに装着固定して、上面開口部１ｅから灰皿インナーケース２を嵌挿する。
【００２５】
灰皿インナーケース２は、アウターケース１の内周面に沿った形状の周側板を有する箱状であって、アウターケース１における背面板部１ｃに対向することとなる背側板部２ｂの底部より部位には、前記ロック係離機構Ｃにおける係離片部４０ｃが係合する係止突起２ｃと、制動機構Ｄにおける小歯車５０ａが噛合する上下方向のラック２ｄが形成されており、この灰皿インナーケース２をアウターケース１の上面開口部１ｅから嵌めて、取出し方向付勢機構Ｂにおける板バネ８に抗して押込むと、灰皿インナーケース２のラック２ｄが制動機構Ｄにおけるロータリーダンパ５０の小歯車５０ａに噛合されると共に、係止突起２ｃがロック係離機構Ｃにおける係離片部４０ｃに係合し、これにより灰皿インナーケース２が板バネ８の付勢に抗した状態でアウターケース１内に嵌挿される。
【００２６】
そして蓋体３を開動方向に付勢した巻スプリング５に抗して閉塞操作、すなわち蓋体３の先端を下方向に押動操作して灰皿インナーケース２の上面開口部２ａを閉塞するもので、この蓋体３の閉塞操作による支持軸１１を支点とする円弧動に伴ない、この蓋体３における長側片部３ｂの先端部位の係合杆３１が、アウターケース１に設けられた係離部材６により係止され閉塞状態が維持される。
【００２７】
灰皿の使用にあっては、閉塞状態の蓋体３を再び閉塞方向に僅かに押動すると、係離部材６による係合杆３１の係止状態が解離され、巻スプリング５の付勢により蓋体３が開放作動される。
【００２８】
そして吸殻を捨てる場合などアウターケース１から灰皿インナーケース２を取出すには、開放状態の蓋体３を更に開放方向に僅かに操作動することにより、蓋体３における軸支部位方向の端縁から下向きに垂設された作動片部１７が、ロック係離機構Ｃにおける作動片部４０ｂに当接して横軸４０を巻スプリング４１に抗して円弧動させ、これにより係離片部４０ｃが灰皿インナーケース２の係止突起２ｃから外され、取出し方向付勢機構Ｂにおける板バネ８の付勢により取出し方向、すなわちアウターケース１の上面開口部１ｅ方向に押動される。
【００２９】
この取出し方向への押動に伴なって、灰皿インナーケース２に形成されたラック２ｄに噛合する制動機構Ｄにおけるロータリダンパ５０の小歯車５０ａが回転動され、これにより取出し方向への付勢動が制動されて緩やかに上方移動して板バネ８の付勢力限度位置で停止するもので、この持上げられた状態の灰皿インナーケース２を摘んでアウターケース１から取出すものである。
【００３０】
更にこのアウターケース１は、小物入れを装備するにあたって、小物入れインナーケース２１を着脱可能に係離する機構Ｅを組付けるための手段を備えている。
【００３１】
小物入れインナーケース２１は、前記灰皿インナーケース２と同様にアウターケース１の内周面に沿った形状の上面開口部２１ａを有する箱状で、内周面は、収納物の損傷を防止するために植毛塗装（静電植毛）がなされており、背側板部２１ｂの下縁部位には、係止突起２１ｃが突設されている。
【００３２】
係離機構Ｅは、小物入れインナーケース２１の係止突起２１ｃと、この係止突起２１ｃが係止する係止板２２からなるもので、アウターケース１には、背面板部１ｃの略中央部位に取付け孔１８が設けられており、アウターケース１における背面板部１ｃの内側に係止板２２を下向きにして、下端を自由端としてアウターケース１の内側方向に付勢させた状態で、上端部位の孔２２ａと取付け孔１８に樹脂クリップ１９を挿通してカシメ止めすることにより、この係離機構Ｅが組付けられている。
【００３３】
そしてこのアウターケース１を車体の設置部Ａに装着固定して上面開口部１ｅから小物入れインナーケース２１を嵌め込むもので、係離機構Ｅにおける係止板２２の付勢により小物入れインナーケース２１の係止突起２１ｃが係止されることにより、この小物入れインナーケース２１がアウターケース１に嵌挿され、蓋体３を閉塞操作して上面開口部２１ａを閉塞するもので、小物入れインナーケース２１の使用時における蓋体３の開放操作は、前記灰皿インナーケース２の場合と同様である。
【００３４】
すでに灰皿が装備されているにかかわらず、小物入れの装備が要望された場合には、前記のごとく蓋体３の開放操作に続いて、灰皿インナーケース２の取出し操作を行なってアウターケース１から取出すと共に、アウターケース１を車体の設置部Ａから外す。
【００３５】
そしてこのアウターケース１に組付けられた、灰皿インナーケース２の取出し方向付勢機構Ｂにおける樹脂クリップ９を外して板バネ８を取外すと共に、ロック係離機構Ｃ及び制動機構Ｄのそれぞれを、前記組付け装着時とは逆の操作により取り外して、これに替えて小物入れ装備における前記小物入れインナーケース２１の係離機構Ｅを組付けるもので、すでにこの小物入れが装備されている場合の灰皿の装備にあっては、係離機構Ｅにおける係止板２２の付勢に抗して係止突起２１ｃを外しながら小物入れインナーケース２１を取外し、次いで樹脂クリップ１９を外すことによりこの係止機構Ｅをアウターケース１から取外して灰皿装備を行なう。
【００３６】
前記実施例における車両用灰皿又は小物入れの組付け装置は、車両使用者の要望により灰皿又は小物入れのどちらかを装備するにあたって、車体の適所に固定されるアウターケースと、このアウターケースに嵌挿される灰皿インナーケース又は小物入れインナーケースとによる手段を採り、しかもこのアウターケースは、灰皿装備において吸殻の処理などの機能に要する灰皿インナーケースの取出し方向付勢機構と、この付勢動のロック係離機構と、飛出し制動機構及び、小物入れ装備における小物入れインナーケースの係離機構のそれぞれを、装脱可能に組付ける手段を備えているもので、灰皿又は小物入れを構成する部品のうちの大型部品となるアウターケースを共用できると共に、灰皿又は小物入れとしての機構を部品化して、これをアウターケースに装脱着可能に組付けることができるので簡易に組替え可能となるから、コスト軽減、作業能率の向上に益する。
【図面の簡単な説明】
【００３７】
【図１】車両用灰皿又は小物入れの側面図。
【図２】蓋体を断面にした灰皿装備状態の背面図。
【図３】ロック係離機構を示す断面側面図。
【図４】制動機構を示す断面側面図。
【図５】制動機構を示す斜視図。
【図６】ロック係離機構及び制動機構を示す断面平面図。
【図７】ロック係離機構の組付け手段における支承片の斜視図。
【図８】ロック係離機構及び制動機構を示す断面正面図。
【図９】灰皿インナーケースの背面図。
【図１０】小物入れ装備状態を示す断面側面図。
【図１１】小物入れインナーケースの係離機構を示す断面正面図。
【図１２】小物入れインナーケースの背面図。
【図１３】補強板の斜視図。
【符号の説明】
【００３８】
Ａ          設置部
Ｂ          取出方向付勢機構
Ｃ          ロック係離機構
Ｄ          飛出し制動機構
Ｅ          係離機構
１          アウターケース
１ｅ        上面開口部
２          灰皿インナーケース
２ａ        上面開口部
２ｃ        係止突起
２ｄ        ラック
３          蓋体
３ｂ        長側片部
３ｃ        短側片部
４          補強板
５          巻スプリング
６          係離部材
７、５０    ロータリーダンパ
８          板バネ
１１        支持軸
１２        円弧ラック
１４        支承片
１４ａ      支承孔
１４ｂ      案内傾斜面
１５        係止片
１６        差込み溝
１７        作動片部
２１        小物入れインナーケース
２１ａ      上面開口部
２１ｃ      係止突起
２２        係止板
４０        横軸
４０ａ      係合突軸
４０ｂ      作動片部
４０ｃ      係離片部
４１        巻スプリング
５０ａ      小歯車
【図１】
2006056306.tif 000003
【図２】
2006056306.tif 000004
【図３】
2006056306.tif 000005
【図４】
2006056306.tif 000006
【図５】
2006056306.tif 000007
【図６】
2006056306.tif 000008
【図７】
2006056306.tif 000009
【図８】
2006056306.tif 000010
【図９】
2006056306.tif 000011
【図１０】
2006056306.tif 000012
【図１１】
2006056306.tif 000013
【図１２】
2006056306.tif 000014
【図１３】
2006056306.tif 000015